(57)【要約】【課題】剛性が高くなる箱型クリップにおいて、外表面に穴を無くして外観を損なうことなく１つの部品で対象物を自在に挟めるバネ機能を付与することができる筆記具用クリップ及び筆記具を提供する。【解決手段】クリップ１０において、クリップ本体２８は、外面壁１０ａに幅方向の両側壁１０ｂ、１０ｂを設けた断面コ字形状を呈しており、軸方向の後方端部にて、外面壁１０ａの後部が両側壁１０ｂ、１０ｂ間の空間を塞ぐようにＣ字形状に曲がってから前方に向かうようにバネ部３０を板状に形成している。【選択図】図２
2015196361.tif 000002
【特許請求の範囲】
【請求項１】
クリップ本体は、外面壁の幅方向端にほぼ垂直に両側壁を設けて、断面コの字形状とした箱型のクリップであって、
クリップ本体の、軸方向の後方端部には、バネ部を延設し、
前記バネ部には、幅方向両側にスリットを対で形成したことを特徴とする筆記具用クリップ。
【請求項２】
クリップ本体には、軸方向の後方端部にて、外面壁の後部が両側壁間を塞ぐように曲がってから前方に向かうようにバネ部を板状に形成し、
前記バネ部では、バネ部と両側壁間を分かつようにスリットを形成したことを前記請求項１に記載の筆記具用クリップ。
【請求項３】
クリップ本体には、軸方向の後方端部にて、外面壁の後部が両側壁間を塞ぐように曲がっており、側壁の外面壁と離れて位置に後方向きにバネ部を延在し、
前記バネ部では、バネ部と側壁間を分かつようにスリットを形成したことを特徴とする請求項１に記載の筆記具用クリップ。
【請求項４】
請求項１から請求項３のいずれか１項に記載のクリップを筆記具の軸筒外面に取り付けたことを特徴とする筆記具。
【請求項５】
筆記具の軸筒外面の突起にヒンジを設け、当該ヒンジの外側に外面壁が位置し、バネ部が筆記具の軸筒に接するように設けて、
ヒンジを中心にしたクリップの揺動によってバネ部が弾発力を発揮するようにしたことを特徴とする請求項４に記載の筆記具用クリップ。
【発明の詳細な説明】
【技術分野】
【０００１】
本発明は、筆記具用クリップ及び筆記具に関する。
【背景技術】
【０００２】
従来、筆記具のクリップには、取り付け基部周辺の横断面がコ字状になった箱側構造のものがある（例えば、特許文献１、特許文献２参照）。
【０００３】
特許文献１のクリップでは、軸筒の外面壁に沿わせたクリップ片と、クリップ片の後端に屈曲形成された屈曲基部と、該屈曲基部の両側に連続形成されたクリップ脚片とを設け、該クリップ脚片（ネック部）の先端に連続形成された取り付け片を挿入部材（尾冠）により軸筒の後部から嵌め込んで軸筒内に固定する。
【０００４】
前記特許文献１のクリップでは、横断面がコ字状の箱型形状であり軽量で、剛性が高いが、取り付け片を軸筒内に埋め込んで固定するため、取り付け片がバネ弾性に寄与せず、十分なバネ特性を持たせることができない。
【０００５】
また、特許文献２では、断面コ字状の箱型に折り曲げた筆記具用のクリップにおいて、クリップ本体の外面壁の一部を切り欠き、この切り欠いた部分を折り曲げてバネ部を一体形成したクリップが開示されている。
【０００６】
このクリップでは、バネ弾性を持つことができるが、クリップの外面壁（外表面）に穴（切り欠き）が形成されてしまうため、箱型形状として剛性を高めても、良く見える外表面の穴によってクリップの意匠性に欠ける。
【先行技術文献】
【特許文献】
【０００７】
【特許文献１】国際公開２０１０−０４１３３６号公報
【特許文献２】国際公開２００８−０８１６８２号公報
【発明の概要】
【発明が解決しようとする課題】
【０００８】
本発明は、斯かる実情に鑑み、剛性が高くなる箱型クリップにおいて、外表面に穴を無くして外観を損なうことなく１つの部品で対象物を自在に挟めるバネ機能を付与することができる筆記具用クリップ及び筆記具を提供するものである。
【課題を解決するための手段】
【０００９】
本発明は、クリップ本体は、外面壁の幅方向端にほぼ垂直に両側壁を設けて、断面コの字形状とした箱型のクリップであって、
クリップ本体の、軸方向の後方端部には、バネ部を延設し、
前記バネ部には、幅方向両側にスリットを対で形成したことを特徴とする筆記具用クリップである。
【００１０】
本発明において、クリップ本体には、軸方向の後方端部にて、外面壁の後部が両側壁間を塞ぐように曲がってから前方に向かうようにバネ部を板状に形成し、
前記バネ部では、バネ部と両側壁間を分かつようにスリットを形成したことが好適である。
【００１１】
本発明において、クリップ本体には、軸方向の後方端部にて、外面壁の後部が両側壁間を塞ぐように曲がっており、側壁の外面壁と離れて位置に後方向きにバネ部を延在し、
前記バネ部では、バネ部と側壁間を分かつようにスリットを形成したことが好適である。
【００１２】
本発明は、上記のいずれのクリップを筆記具の軸筒外面に取り付けたことを特徴とする筆記具である。
【００１３】
本発明において、筆記具の軸筒外面の突起にヒンジを設け、当該ヒンジの外側に外面壁が位置し、バネ部が筆記具の軸筒に接するように設けて、
ヒンジを中心にしたクリップの揺動によってバネ部が弾発力を発揮するようにしたことが好適である。
また、本発明において、クリップのバネ部を筆記具の軸筒に固定してバネ部の弾性力でクリップが揺動し弾発力を発揮するようにしたことが好適である。
【発明の効果】
【００１４】
本発明の筆記具用クリップ及び筆記部によれば、断面コの字形状をした箱型のクリップは、剛性が高くなりバネ弾性の付与が難しいが、クリップ本体の、軸方向の後方端部には、バネ部を延設し、前記バネ部には、幅方向両側にスリットを対で形成したので、剛性が高いクリップでもその剛性がバネ部に影響しないので、バネ部のバネ弾性が十分に発揮できる。
【００１５】
したがって、外観を損なうことなくクリップの１部品で厚い対象物をも、いわゆるバインダーのようにバネ弾性機能を付与できるという優れた効果を奏し得る。
【図面の簡単な説明】
【００１６】
【図１】本発明の実施形態に係るクリップを設けた筆記具の全体斜視図である。
【図２】（ａ）が図１の筆記具の正面図、（ｂ）が別方向からの正面図、（ｃ）が縦断面である。
【図３】筆記具の後軸の部品図で、（ａ）が前方斜視図、（ｂ）が前方からの視図、（ｃ）が正面図、（ｄ）が別方向の正面図、（ｅ）が縦断面図、（ｆ）が後方からの斜視図、（ｇ）が後方からの視図である。
【図４】筆記具に設けることが可能な実施例１に係るクリップの部品図で、（ａ）が前方斜視図、（ｂ）が前方からの視図、（ｃ）が外側から正面図、（ｄ）が別方向の正面図、（ｅ）が縦断面図、（ｆ）が内側からの視図、（ｇ）が後方からの斜視図、（ｈ）が後方からの視図である。
【図５】筆記具に設けることが可能な第２実施形態に係るクリップの部品図で、（ａ）が前方斜視図、（ｂ）が前方からの視図、（ｃ）が外側から正面図、（ｄ）が別方向の正面図、（ｅ）が縦断面図、（ｆ）が内側からの視図、（ｇ）が後方からの斜視図、（ｈ）が後方からの視図である。
【図６】筆記具に設けることが可能な第３実施形態に係るクリップの部品図で、（ａ）が前方斜視図、（ｂ）が前方からの視図、（ｃ）が外側から正面図、（ｄ）が別方向の正面図、（ｅ）が縦断面図、（ｆ）が内側からの視図、（ｇ）が後方からの斜視図、（ｈ）が後方からの視図である。
【図７】筆記具に設けることが可能な第４実施形態に係るクリップの部品図で、（ａ）が前方斜視図、（ｂ）が前方からの視図、（ｃ）が外側から正面図、（ｄ）が別方向の正面図、（ｅ）が縦断面図、（ｆ）が内側からの視図、（ｇ）が後方からの斜視図、（ｈ）が後方からの視図である。
【発明を実施するための形態】
【００１７】
以下、本発明の実施形態について添付図面を参照して説明する。
【００１８】
図１〜図４は実施例１に係るクリップを設けた筆記具の説明図である。
【００１９】
実施形態に係る筆記具は、外面壁１０ａの幅方向端にほぼ垂直に両側壁１０ｂ、１０ｂを設けて、断面コの字形状とした箱型のクリップ１０を設けたものである。
【００２０】
図１、図２に示すように、筆記具は、軸筒が前方から後方にかけて先軸１２、中軸１４、後軸１６が互いにネジ結合されて一体になったものである。
【００２１】
軸筒内には、リフィール１８が進退動可能に装着され、先端の筆記部１８ａが出没して筆記可能状態、収納状態にある。リフィール１８先端の筆記部１８ａの周囲にスプリング２０が配設される。リフィール１８は、筆記部１８ａに繋いでインク収容管１８ｂを設けている。
【００２２】
軸筒の後部（後軸１６）にはノック棒２２が設けられ、当該ノック棒２２内に回転子２４が設けられたカーンノック式のものである。後軸は内周後部に段部が形成されて、ノック棒２２外周の段部が係止して抜けないようになっている。
【００２３】
後軸１６の側面には、図２、図３に示すように、クリップ１０をヒンジ結合するための取り付け部１６ａが突出形成されている。
【００２４】
詳しくは、後軸１６は、図３に示すように、概略筒状を呈して、一側面にクリップ設置用の取り付け部１６ａが一体に突出形成される。この取り付け部１６ａには、後軸１６の軸方向に対して幅方向の両側に向けて突起１６ｂ、１６ｂが突出形成されている。図２に示すように、クリップ１０の孔２６に両側の突起１６ｂ、１６ｂを嵌めて、回動可能なヒンジの作用を奏するようにしている。
【００２５】
上記のクリップ１０は、取り付け部１６ａに取り付けることによって筆記具の軸筒外面に取り付けたものになる。
【００２６】
また、クリップ１０は、金属製の曲げ成形品、樹脂製の成形品等各種方向で作成することができる。好ましくは、ステンレス等の金属材料を用いることができる。
【実施例１】
【００２７】
図１の筆記具に設けることが可能なクリップ１０の実施例１は、図４に示すように、断面コの字形状となるクリップ本体２８の軸方向の後方端部に、前方向きに曲げたバネ部３０を延設し、前記バネ部３０には、幅方向両側にスリット３２を対で形成したものである。
【００２８】
また、実施例１のクリップ１０では、クリップ本体２８は、外面壁１０ａに幅方向の両側壁１０ｂ、１０ｂを設けた断面コ字形状を呈しており、軸方向の後方端部にて、外面壁１０ａの後部が両側壁１０ｂ、１０ｂ間の空間を塞ぐようにＣ字形状に曲がってから前方に向かうようにバネ部３０を板状に形成している。
【００２９】
したがって、前記バネ部３０はクリップ１０の後方端部に形成されているが、バネ部３０と両側壁１０ｂ、１０ｂ間を分かつようにスリット３２を形成したものである。
【００３０】
図４に示すように、符号１０ｃは、クリップ１０の強度箇所であり、外面壁１０ａの後端部側で、孔２６付近からバネ部３０にかけて厚肉に形成されたものである。バネ部３０の外面壁１０ａに連続する部分を溶着等により固定している。
【００３１】
また、実施例１のクリップ１０を設けた筆記具では、軸筒外面の取り付け部１６ａに突起１６ｂ、１６ｂ（ヒンジ）を設け、当該突起１６ｂ、１６ｂの外側に外面壁１０ａが位置し、バネ部３０の先端部が筆記具の軸筒外面に接するように設けて、突起１６ｂ、１６ｂ（ヒンジ）を中心にしたクリップ１０の揺動によってバネ部３０が弾発力を発揮するようにしたものである。
【００３２】
上述のように、実施例１のクリップ及びそれを設けた筆記部においては、断面コの字形状をした箱型のクリップ１０で剛性が高くなりバネ弾性の付与が難しいところを、クリップ本体２８の、軸方向の後方端部には、バネ部３０を延設し、前記バネ部３０には、幅方向両側にスリット３２を対で形成したので、剛性が高いクリップ１０でもその剛性がバネ部３０に影響しないようにしているので、バネ部３０のバネ弾性が十分に発揮できる。
【００３３】
したがって、外観を損なうことなく、クリップ１０の１部品で厚い対象物をもバインダーのように挟むことが可能なバネ弾性機能を付与することができる。
【実施例２】
【００３４】
図５は実施例２に係るクリップの説明図である。
【００３５】
図５に示すように、実施例２に係るクリップ１０では、クリップ本体２８は、実施例１と同じく外面壁１０ａに幅方向の両側壁１０ｂ、１０ｂを設けた断面コの字形状を呈している。
【００３６】
そして、軸方向の後方端部にて、外面壁１０ａの後部が鈍角に曲がって、両側壁１０ｂ、１０ｂ間の空間を塞ぐように鋭角またはＬ字形状に曲がってから前方に向かうようにバネ部３０を板状に形成している。
【００３７】
なお、バネ部３０と両側壁１０ｂ、１０ｂ間を分かつようにスリット３２を形成したものである。
【００３８】
この実施例２のクリップ１０によれば、バネ部３０が鋭角に曲がるので、実施例１のクリップよりも軸筒外表面に対して、クリップ１０を近接させて設けることができるので、クリップ１０を薄型に構成するときに設計の自由度が高く有利になる。
【００３９】
なお、その他の構成作用等は実施例１のクリップ１０を図１の筆記具に設けたものと同様である。
【実施例３】
【００４０】
図６は実施例３に係るクリップの説明図である。
【００４１】
図６に示すように、実施例３に係るクリップ１０では、クリップ本体２８は、実施例１と同じく外面壁１０ａに幅方向の両側壁１０ｂ、１０ｂを設けた断面コの字形状を呈している。
【００４２】
そして、クリップ本体２８には軸方向の後方端部にて、外面壁１０ａの後部が両側壁１０ｂ、１０ｂ間を塞ぐように曲がっている。
【００４３】
そして、後端部において、側壁１０ｂ、１０ｂの外面壁１０ａと離れた位置の端縁部には、外面壁１０ａに平行に内側に延ばした片部３４、３４が対で形成されている。
【００４４】
その片部３４、３４から後方向きに板状のバネ部３０、３０を延在し、バネ部３０、３０と側壁１０ｂ、１０ｂ間を分かつようにスリット３２、３２を形成したものである。バネ部３０、３０は下向きに膨出した弧状を呈しており、外面壁１０ａの後端との間に隙間３６を設けて、バネ部３０、３０の円滑な動作を可能にしている。
【００４５】
バネ部３０、３０を側壁１０ｂ、１０ｂから設けた片部３４、３４から後方に延ばして設けているので、クリップ１０の打ち抜き加工の際に、実施例１〜２のようにバネ部を連続させる場合よりも短くて済む。
【００４６】
なお、その他の構成作用等は実施例１のクリップ１０を図１の筆記具に設けたものと同様である。
【実施例４】
【００４７】
図７は実施例４に係るクリップの説明図である。
【００４８】
図７に示すように、実施例４に係るクリップ１０では、クリップ本体２８は、実施例１と同じく外面壁１０ａに幅方向の両側壁１０ｂ、１０ｂを設けた断面コの字形状を呈している。
【００４９】
また、実施例４のクリップ１０では、軸方向の後方端部にて、外面壁１０ａの後部が両側壁１０ｂ、１０ｂ間の空間を塞ぐようにＣ字形状に曲がってから前方に向かうようにバネ部３０を板状に形成して、そのバネ部３０が幅側部に凹凸３８が形成されている。
【００５０】
このバネ部３０は、筆記具の軸筒に設けた取り付け用の凹所に嵌め込んで固定する。これによって、バネ部３０を弾性変形させてクリップ１０によって物を挟み付けることができる。
【００５１】
実施例４によれば、実施例１〜３のように軸筒に取り付け部１６を設ける必要がないので、コンパクト化が図れる。
【００５２】
なお、その他の構成作用等は実施例１のクリップ１０を図１の筆記具に設けたものと同様である。
【００５３】
なお、前記実施形態及び実施例によって本発明は限定されず、本発明の範囲内で種々に変更できる。
【産業上の利用可能性】
【００５４】
本発明の筆記具用クリップは、ボールペン、シャープペンシル等の各種筆記具に利用することができる。
【符号の説明】
【００５５】
１０  クリップ
１０ａ  外面壁
１０ｂ  側壁
１６  後軸
１６ａ  取り付け部
１６ｂ  突起
１８  リフィール
２８  クリップ本体
３０  バネ部
３２  スリット
３４  片部
３６  隙間
３８  凹凸
【図１】
2015196361.tif 000003
【図２】
2015196361.tif 000004
【図３】
2015196361.tif 000005
【図４】
2015196361.tif 000006
【図５】
2015196361.tif 000007
【図６】
2015196361.tif 000008
【図７】
2015196361.tif 000009